【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
少なくとも二つの使い捨て電極を含み、電極が動物或いは人間の皮膚の電位を感知するための種類のものである、一組の電極であって、少なくとも二つの使い捨て電極の各々が、
キャリヤと、
キャリヤによって支持され且つ各々の対のセンサの中心を通る線が少なくとも二つの線形独立方向を定めるように配置された少なくとも３つのセンサと、
電極を動物或いは人間の皮膚に、センサを皮膚に電気的に接触させて、着脱可能に取り付けるための手段と、
各々の感知した電位をセンサから外部装置に伝えるための外部装置との接続と、
電極の所定の向きの可視表示を含み、可視表示は身体の解剖学的部分を参照することを特徴とする一組の電極。
【請求項２】
各電極の電極の所定の向きの可視表示は、一組の電極の使用者が電極を患者に適用する場合、第１の場所（Ａ）の電極により定められた二つの線形独立方向（Ｘ，Ｙ）が基準場所（Ｒ）の電極の二つの独立方向（Ｘ，Ｙ）とほぼ同じであるように使用者が電極を第１の場所に及び電極を基準場所に配置することができるように配置されることを特徴とする、請求項１に記載の一組の電極。
【請求項３】
少なくとも二つの電極の各々のセンサは、動物或いは人間の電位を感知するために普通には用いられる単一センサを有する電極により網羅することができる領域内に全てあることを特徴とする、請求項１または２に記載の一組の電極。
【請求項４】
少なくとも二つの電極の各々は、複数の電極を、電極のいずれもが互いに重なり合うことなく、電位を感知するために普通には用いられる各々の場所で患者の皮膚に取り付けさせる大きさを有することを特徴とする、請求項１または２に記載の一組の電極。
【請求項５】
少なくとも二つの電極の各々のセンサは、７０ｍｍ或いはそれ以下の直径を有する円の周囲内に全て配置されることを特徴とする、請求項１または２に記載の一組の電極。
【請求項６】
少なくとも二つの電極の各々の少なくとも二つの線形独立方向は、互いに垂直であることを特徴とする、請求項１ないし５のいずれか一項に記載の一組の電極。
【請求項７】
請求項１ないし６のいずれか一項に記載の一組の電極に適する電極。
【請求項８】
動物或いは人間の皮膚の所定の場所での電位を感知するためのシステムであって、
請求項１ないし６のいずれか一項に記載された一組の電極と、
電極の数に等しい数の無線送信機と、
を含み、
各送信機は、感知した電位をセンサから受信し且つ感知した電位に対応する信号を送信するようになっている、ことを特徴とするシステム。
【請求項９】
動物或いは人間の皮膚の所定の場所での電位を感知するための方法であって、
請求項１ないし６のいずれか一項に記載の電極の組からの電極を、所定の場所の各々に配置して、第１の所定の場所に取り付けられた電極及び第２の所定の場所に取り付けられた電極を第１の場所（Ａ）の電極により定められた二つの線形独立方向（Ｘ，Ｙ）が第２の場所（Ｒ）の電極の二つの線形独立方向（Ｘ，Ｙ）とほぼ同じであるように向け、
感知した電位をセンサから受信し且つ感知した電位を表す信号を送信するようになった無線送信機を電極の各々に接続し、
各送信機から送信された信号を受信する、
ことを含む、上記方法。
【請求項１０】
動物或いは人間の皮膚の基準場所（Ｒ）に対する動物或いは人間の皮膚の第１の場所（Ａ）の電位を決定する方法であって、
第１の場所（Ａ）及び基準場所（Ｒ）の各々に電極を取り付ける段階であり、各電極は、各々の対のセンサの中心を通る線が二つの線形独立方向を定めるように配置された少なくとも３つのセンサを有し、第１の場所に取り付けられた電極及び基準場所に取り付けられた電極を、第１の場所（Ａ）の電極によって定められた二つの線形独立方向（Ｘ，Ｙ）が基準場所（Ｒ）の電極の二つの線形独立方向（Ｘ，Ｙ）とほぼ同じように向ける、上記段階と、
各電極のセンサの各々で皮膚の電位を感知する段階と、
各電極の対応する対のセンサで感知した対の電位間の少なくとも二つの差を表す信号を送信する段階と、
送信された信号を受信する段階と、
受信した信号に基づいて基準場所（Ｒ）に対する第１の場所（Ａ）での電位を決定する段階と、
を含む、上記方法。
【請求項１１】
動物或いは人間の生体電界の瞬間振幅を表すパラメータを決定する段階を更に含む、請求項１０に記載の方法。
【請求項１２】
動物或いは人間の生体電界の瞬間極性を表すパラメータを決定する段階を更に含む、請求項１０に記載の方法。
【請求項１３】
動物或いは人間の生体電界の伝搬の瞬間方向を表すパラメータを決定する段階を更に含む、請求項１０に記載の方法。
【請求項１４】
動物或いは人間の皮膚の基準場所（Ｒ）に対する第１の場所（Ａ）の電位を決定する方法であって、
第１の場所に取り付けられた電極及び基準場所に取り付けられた電極を第１の場所（Ａ）の電極により定められた二つの線形独立方向（Ｘ，Ｙ）が基準場所（Ｒ）の電極の二つの線形独立方向（Ｘ，Ｙ）とほぼ同じであるように向けるように請求項１ないし６のいずれか一項に記載の一組の電極からの電極を第１の場所（Ａ）及び基準場所（Ｒ）の各々に取り付ける段階を含み、
第１の場所（Ａ）では：
第１の基準場所の電位（ＶＡr）を感知し、
第１の基準場所から第１の方向の場所の電位（ＶＡdirX）を感知し、
第１の基準場所から第１の方向の場所の電位（ＶＡdirX）と第１の基準場所の電位（ＶＡr）との間の第１の電位差（ＶＡdirX）−（ＶＡr）を決定し、
第１の基準場所から第２の方向の場所の電位（ＶＡdirY）を感知し、
第１の基準場所から第２の方向の場所の電位（ＶＡdirY）と第１の基準場所の電位（ＶＡr）との間の第２の電位差（ＶＡdirY）−（ＶＡr）を決定し、
第１及び第２の電位差を表す信号を送信し、
基準場所（Ｒ）では：
第２の基準場所の電位（ＶＲr）を感知し、
第２の基準場所から第３の方向の場所の電位（ＶＲdirX）を感知し、
第２の基準場所から第３の方向の場所の電位（ＶＲdirX）と第２の基準場所の電位（ＶＲr）との間の第３の電位差（ＶＲdirX）−（ＶＲr）を決定し、
第２の基準場所から第４の方向の場所の電位（ＶＲdirY）を感知し、
第２の基準場所から第４の方向の場所の電位（ＶＲdirY）と第２の基準場所の電位（ＶＲr）との間の第４の電位差（ＶＲdirY）−（ＶＲr）を決定し、
第３及び第４の電位差を表す信号を送信し、
送信された信号を受信し、
第１、第２、第３、及び第４の電位差に基づいて基準場所（Ｒ）に対する第１の場所（Ａ）の電位を決定する、
段階を含む、上記方法。
【請求項１５】
基準場所（Ｒ）に対する第１の場所（Ａ）の電位は、瞬間の第１及び第２の電位差によって定められた第１のベクトルの大きさと瞬間の第３及び第４の電位差によって定められた基準ベクトルの大きさとの間の差に基づく、請求項１４に記載の方法。
【請求項１６】
基準場所（Ｒ）に対する第１の場所（Ａ）の電位は、積分された第１及び第２の電位差によって定められた第１のベクトルの大きさと積分された第３及び第４の電位差によって定められた基準ベクトルの大きさとの間の差に基づく、請求項１４に記載の方法。
【請求項１７】
基準場所（Ｒ）に対する第１の場所（Ａ）の電位は、瞬間の第１及び第２の電位差によって定められた第１のベクトルの時間積分された大きさと瞬間の第３及び第４の電位差によって定められた基準ベクトルの時間積分された大きさとの間の差に基づく、請求項１４に記載の方法。
【請求項１８】
基準場所（Ｒ）に対する第１の場所（Ａ）の電位を、
第１の電位差と第３の電位差との間の第１の差と、
第２の電位差と第４の電位差との間の第２の差と、
の合体として決定することを特徴とする、請求項１４に記載の方法。
【請求項１９】
基準場所（Ｒ）に対する第１の場所（Ａ）の電位を、
第１の電位差の積分と第３の電位差の積分との間の第１の差と、
第２の電位差の積分と第４の電位差の積分との間の第２の差と、
の合体として決定することを特徴とする、請求項１４に記載の方法。
【手続補正２】
【補正対象書類名】明細書
【補正対象項目名】００２５
【補正方法】変更
【補正の内容】
【００２５】
上記のように二つのセンサ点を用いることは、一次元空間について有効であり、二つのセンサ点を、センサ点の中心線がポテンシャル波の移動する方向に平行であるように、配置することができる。ポテンシャル波が中心線の方向とは異なる方向に移動する場合には、小さい電位差が測定され、且つポテンシャル波が二つのセンサ点の中心線に対して垂直に移動する場合には、センサ点は、実質的に同じ信号を感知し、且つ二つのセンサ点間の記録した差は、（ほとんど）ゼロである。従って、二つのセンサ点の配向は、結果として得られる記録振幅について重要である。
【手続補正３】
【補正対象書類名】明細書
【補正対象項目名】００２６
【補正方法】変更
【補正の内容】
【００２６】
本発明は、各々の対のセンサの中心を通る線が少なくとも二つの線形独立方向、即ち、異なる方向を定めるように配置された少なくとも３つのセンサ或いはセンサポイントを有する電極を提供する。好ましい実施形態では、少なくとも二つの線形独立方向は、互いに垂直である。測定は、時間のあらゆる瞬間における二次元勾配に対応する二次元ベクトルのベクトル座標を表す二つの対応する電位差を得るために二対のセンサを用いて行われる。本発明並びに本発明の異なる実施形態は、特許請求の範囲に記載される。